(57)【特許請求の範囲】
【請求項１】
光加入者線終局装置と複数の光加入者線終端装置との間を光ファイバ集合装置を介して接続した通信制御システムであって、
前記光加入者線終局装置は、フレーム識別子を含むデータフレームの送受信制御と、フレーム識別子を含むアクセス制御フレームの所定時間間隔の送信制御とを行う構成を有し、
前記光ファイバ集合装置は、前記光加入者線終局装置と前記複数の光加入者線終端装置との間を前記アクセス制御フレームが一巡できるように接続する光ファイバ伝送路を含む構成を有し、
前記複数の光加入者線終端装置は、前記アクセス制御フレームを受信して送信権を獲得し、該送信権の獲得により端末機器からの送信データをデータフレームとして送信する構成を有する
ことを特徴とする通信制御システム。
【請求項２】
前記光加入者線終局装置は、所定時間間隔で前記アクセス制御フレームを生成して前記光ファイバ集合装置を介して前記光加入者線終端装置に送出し、該アクセス制御フレームが一巡して所定時間内に受信できない時に障害発生と判定する構成を有することを特徴とする請求項１記載の通信制御システム。
【請求項３】
前記光加入者線終端装置は、前記アクセス制御フレームを受信して送信権を獲得し、端末機器からの送信データをフレーム識別子を含むデータフレームにより送出し、自装置宛のデータフレームを受信処理して前記端末機器に転送し、且つ前記アクセス制御フレームを前記光ファイバ集合装置を介して他の光加入者線終端装置又は前記光加入者線終局装置に中継送出する構成を有することを特徴とする請求項１記載の通信制御システム。
【請求項４】
前記光ファイバ集合装置は、光ファイバ伝送路の経路切替えを行う経路切替部と、該経路切替部と前記光加入者線終局装置及び前記複数の光加入者線終端装置との間を接続し、且つ光信号レベルを検出する検出部を含む送受信モジュールと、前記検出部からの検出信号を基に障害発生を判定して前記経路切替部を制御して、障害発生装置を切り離すインタフェース処理部とを有することを特徴とする請求項１記載の通信制御システム。
【請求項５】
光加入者線終局装置と複数の光加入者線終端装置との間を光ファイバ集合装置を介してリングネットワークを構成するように接続してデータ通信を行う通信制御方法であって、
前記光加入者線終局装置は、所定時間間隔でフレーム識別子を含むアクセス制御フレームを送出する過程と、
該アクセス制御フレームを前記光ファイバ集合装置を介して受信した光加入者線終端装置は送信権を獲得して、端末機器からの送信データを有する場合にフレーム識別子を含むデータフレームとして送信し、自装置宛のデータフレームを受信処理して前記端末機器に転送し、且つ前記アクセス制御フレームを中継送出する過程とを含む
ことを特徴とする通信制御方法。
【請求項６】
前記アクセス制御フレームは、前記光加入者線終端装置のアドレス対応のアドレスビットを含む保守情報フィールドを有し、前記光加入者線終端装置は、前記アクセス制御フレームを中継送出する時に自装置対応のアドレスビットをセットして送出し、前記光加入者線終局装置は、前記保守情報フィールドのアドレスビットにより前記光加入者終端装置の接続状況を監視する過程を含むことを特徴とする請求項５記載の通信制御方法。
【請求項７】
前記アクセス制御フレームの前記保守情報フィールドは、前記複数の光加入者線終端装置のアドレス対応位置のアドレスビットと、該アドレス対応位置のテスト要求及びテスト結果を示すビットとを含み、各ビット位置により前記光加入者線終端装置の接続状態及びテスト要求に従ったテスト結果とを前記光加入者線終局装置に通知する過程を含むことを特徴とする請求項６記載の通信制御方法。
【請求項８】
前記アクセス制御フレームを、前記データフレームに対してインターフレームギャップをおいて送出する過程を含むことを特徴とする請求項５又は６又は７記載の通信制御方法。
【請求項９】
前記アクセス制御フレームを、前記データフレーム間のインターフレームギャップに比較して短い固定長として、前記インターフレームギャップ内に挿入して送出する過程を含むことを特徴とする請求項５又は６又は７記載の通信制御方法。
【請求項１０】
前記光ファイバ集合装置の送受信モジュールの検出部に於いて前記光加入者線終端装置との間で送受信する光信号レベルを検出してインタフェース処理部へ通知し、該インタフェース処理部に於いて障害の有無を判定し、障害発生の場合に、経路切替部を制御して光ファイバ伝送路の切替えを行って、障害発生の前記光加入者終端装置を切り離す過程を含むことを特徴とする請求項５記載の通信制御方法。
【発明の詳細な説明】
【０００１】
【発明の属する技術分野】
本発明は、加入者側の光加入者線終端装置と、ネットワーク側の光加入者線終局装置との間に光ファイバ集合装置を設けて、光信号によりデータを送受信する通信制御システム及び通信制御方法に関する。
【０００２】
【従来の技術】
インターネットの普及に伴ってデータ通信のトラフィックが電話（音声）トラフィックを凌駕する状態となっており、又インターネットへのアクセスは企業からのみでなく、一般家庭からのアクセスも増加の一途を辿っている。一般家庭からのアクセスは、既存のアナログ電話網やＩＳＤＮ（Ｉｎｔｅｇｒａｔｅｄ  Ｓｅｒｖｉｃｅｓ  Ｄｉｇｉｔａｌ  Ｎｅｔｗｏｒｋ）を利用したダイヤルアップ接続が多いものであるが、ｘＤＳＬ（Ｄｉｇｉｔａｌ  Ｓｕｂｓｃｒｉｂｅｒ  Ｌｉｎｅ）の技術を使用した常時接続サービスの普及も増加している。
【０００３】
ｘＤＳＬ技術の中のＡＤＳＬ（Ａｓｙｍｍｅｔｒｉｃ  Ｄｉｇｉｔａｌ  Ｓｕｂｓｃｒｉｂｅｒ  Ｌｉｎｅ）は、例えば、局側から加入者側への下り方向が最大８Ｍｂｐｓ、上り方向が６４０ｋｂｐｓの伝送速度とすることができる。このような高速伝送の加入者の増加に対して、通信システムの幹線系も対応する必要がある。
【０００４】
又利用できる伝送速度としては、アナログ電話回線の場合は最大５６ｋｂｐｓ、ＩＳＤＮの場合は６４ｋｂｐｓ〜１２８ｋｂｐｓ、ＣＡＴＶシステムによる場合は、１２８ｋｂｐｓ〜２Ｍｂｐｓ、ＡＤＳＬの場合は、２５６ｋｂｐｓ〜８Ｍｂｐｓ、無線インタフェースを利用した場合は、５１２ｋｂｐｓ〜２Ｍｂｐｓ、光ファイバを利用した場合は、１０Ｍｂｐｓ〜１００Ｍｂｐｓとなる。
【０００５】
光ファイバ用いた加入者サービスはＦＴＴＨ（Ｆｉｂｅｒ  Ｔｏ  Ｔｈｅ  Ｈｏｍｅ）として知られており、このＦＴＴＨサービスに於いては、光ファイバを用いることにより、前述のように、１００Ｍｂｐｓのブロードバンドサービスを提供できることになり、各種のコンテンツ配信や新たなビジネスが登場すると期待されている。
【０００６】
従来例のＦＴＴＨ方式は、例えば、図１３の（Ａ），（Ｂ）に示す構成が一般的である。同図の（Ａ）は光加入者線終局装置１０４と加入者の端末機器１０１とを１対１で接続するＳＳ（シングル・スター）方式を示し、１０２は光加入者線終端装置（ＯＮＵ）、１０３は光ファイバ接合装置、１０５はＩＰ（インターネット）網、１０６，１０７は電気通信事業者等のネットワークを示す。又端末機器１０１と光加入者線終端装置１０２との間を、ＩＥＥＥ８０２．３ｕとして標準化された１００ＢＡＳＥ−ＴＸのケーブルで接続し、光加入者線終端装置１０２と光加入者線終局装置１０４の光ファイバ接合装置１０３との間は、ＩＥＥＥ８０２．３ｕとして標準化された１００ＢＡＳＥ−ＦＸの光ファイバにより接続した場合を示す。
【０００７】
又図１３の（Ｂ）はＰＤＳ（Ｐａｓｓｉｖｅ  Ｄｏｕｂｌｅ  Ｓｔａｒ）方式の場合を示し、１１１は加入者の端末機器、１１２は光加入者線終端装置（ＯＮＵ）、１１３は光ファイバ接合装置、１１４は光加入者線終局装置、１１５はＩＰ網、１１６，１１７は電気通信事業者等のネットワーク、１１８は光カプラを示す。この場合、光カプラ１１８と光加入者線終局装置１１４の光ファイバ接合装置１１３との間は、各加入者の端末機器１１１に対して時分割により使用するものである。
【０００８】
【発明が解決しようとする課題】
前述の図１３の（Ａ）に示すＳＳ方式の構成に於いては、上り方向と下り方向とを１００Ｍｂｐｓの全二重モードで通信できるもので、標準化されたＩＥＥＥ８０２．３ｕによる構成を用いることにより、比較的安価に構成できる。しかし、加入者の端末機器１０１との間を１対１で接続する為、光加入者線終局装置１０４の個数が端末機器１０１の個数に対応して増加することにより、局舎側の設置スペース並びに装置増加に伴うコストアップが問題となる。
【０００９】
又図１３の（Ｂ）に示すＰＤＳ方式の構成に於いては、複数の加入者の端末機器１１１に対して共通化した光加入者線終局装置１１４を設ければ良いことにより、加入者の端末機器１１１の増加に対して局舎側の設置スペース及びコストアップの問題を回避できる。このＰＤＳ方式に於いて、例えば、ＳＴＭ（Ｓｙｎｃｈｒｏｎｏｕｓ  Ｔｒａｎｓｆｅｒ  Ｍｏｄｅ）の５０Ｍｂｐｓの帯域を時分割多重で利用し、最大３２の加入者の端末機器１１１との間で通信を可能とした構成が知られているが、ＩＥＥＥ８０２．３の帯域としては、２０Ｍｂｐｓを確保できるのみで、効率が良くない問題がある。
本発明は、比較的安価な構成により通信効率を向上することを目的とする。
【００１０】
【課題を解決するための手段】
本発明の通信制御システムは、図１を参照して説明すると、光加入者線終局装置４と複数の光加入者線終端装置２との間を光ファイバ集合装置３を介して接続した通信制御システムであって、光加入者線終局装置４は、フレーム識別子を含むデータフレームの送受信制御と、フレーム識別子を含むアクセス制御フレームの所定時間間隔の送信制御とを行う構成を有し、光ファイバ集合装置３は、光加入者線終局装置４と複数の光加入者線終端装置２との間を、アクセス制御フレームが一巡できるように接続する光ファイバ伝送路９を含む構成を有し、複数の光加入者線終端装置２は、アクセス制御フレームを受信して送信権を獲得し、その送信権の獲得により端末機器からの送信データをデータフレームとして送信する構成を有するものである。
【００１１】
又光加入者線終局装置４は、所定時間間隔でアクセス制御フレームを生成して、光ファイバ集合装置３を介して光加入者線終端装置２に送出し、アクセス制御フレームが一巡して所定時間内に受信できない時に障害発生と判定する構成を有するものである。又光加入者線終端装置２は、アクセス制御フレームを受信して送信権を獲得し、その送信権獲得により端末機器１からの送信データをフレーム識別子を含むデータフレームにより送出し、自装置宛のデータフレームを受信処理して端末機器１に転送し、且つアクセス制御フレームを光ファイバ集合装置３を介して他の光加入者線終端装置２又は光加入者線終局装置４に中継送出する構成を有するものである。
【００１２】
又光ファイバ集合装置３は、光ファイバ伝送路の経路切替えを行う経路切替部と、この経路切替部と光加入者線終局装置４及び複数の光加入者線終端装置２との間を接続し、且つ光信号レベルを検出する検出部を含む送受信モジュールと、検出部からの検出信号を基に障害発生を判定して前記経路切替部を制御して、障害発生装置を切り離すインタフェース処理部とを有するものである。
【００１３】
又本発明の通信制御方法は、光加入者線終局装置４と複数の光加入者線終端装置２との間を光ファイバ集合装置３を介してリングネットワークを構成するように接続してデータ通信を行う通信制御方法であって、光加入者線終局装置４は、所定時間間隔でフレーム識別子を含むアクセス制御フレームを送出する過程と、アクセス制御フレームを光ファイバ集合装置３を介して受信した光加入者線終端装置２は送信権を獲得して、端末機器１からの送信データを有する場合にフレーム識別子を含むデータフレームとして送信し、自装置宛のデータフレームを受信処理して端末機器１に転送し、且つアクセス制御フレームを中継送出する過程とを含むものである。
【００１４】
又アクセス制御フレームは、光加入者線終端装置２のアドレス対応のアドレスビットを含む保守情報フィールドを有し、光加入者線終端装置２は、アクセス制御フレームを中継送出する時に自装置対応のアドレスビットをセットして送出し、光加入者線終局装置４は、保守情報フィールドのアドレスビットにより、光加入者終端装置２の接続状況を監視する過程を含むことができる。又アクセス制御フレームの保守情報フィールドは、複数の光加入者線終端装置２のアドレス対応位置のアドレスビットと、このアドレス対応位置のテスト要求及びテスト結果を示すビットとを含み、各ビット位置により、光加入者線終端装置２の接続状態及びテスト要求に従ったテスト結果とを、光加入者線終局装置４に通知する過程を含むことができる。
【００１５】
又アクセス制御フレームを、データフレームに対してインターフレームギャップをおいて送出する過程を含むことができる。又アクセス制御フレームを、データフレーム間のインターフレームギャップに比較して充分に短い固定長として、インターフレームギャップ内に挿入して送出する過程を含むことができる。
【００１６】
又光ファイバ集合装置３の送受信モジュールの検出部に於いて、光加入者線終端装置２との間で送受信する光信号レベルを検出してインタフェース処理部へ通知し、このインタフェース処理部に於いて障害の有無を判定し、障害発生の場合に、経路切替部を制御して光ファイバ伝送路の切替えを行って、障害発生の光加入者終端装置を切り離す過程を含むことができる。
【００１７】
【発明の実施の形態】
図１は本発明の実施の形態の説明図であり、１は加入者の端末機器、２は光加入者線終端装置（ＯＮＵ）、３は光ファイバ集合装置、４は光加入者線終局装置、５は地域ＩＰ（インターネット）網、６，７は電気通信事業者等のネットワーク、８はリングネットワーク、９，１０は光ファイバ伝送路を示す。
【００１８】
このリングネットワーク８は、複数の加入者のそれぞれの端末機器１対応の光加入者線終端装置２と光加入者線終局装置４とを光ファイバ集合装置３のリング状の光ファイバ伝送路９を介して相互に接続するもので、光加入者線終端装置２との間の光ファイバ伝送路１０は２本の光ファイバにより構成するか、又は１本の光ファイバにより全二重通信を行う構成とするものである。
【００１９】
図２はリングネットワークの説明図であり、図１と同一符号は同一部分を示し、ＳＭは光送信モジュール、ＲＭは光受信モジュール、ＣＮは光コネクタ部、４ａは送受信処理部、４ｂはインタフェース部を示す。光ファイバ集合装置３の光ファイバ伝送路９と、光コネクタ部ＣＮと、各光加入者線終端装置２の光受信モジュールＲＭと光送信モジュールＳＭと、光ファイバ伝送路１０と、光加入者線終局装置４の光受信モジュールＲＭと光送信モジュールＳＭと送受信処理部４ａとにより光信号を伝送するリングネットワークを構成する。
【００２０】
従って、各光加入者線終端装置２は、光ファイバ集合装置３に対して１対１で光ファイバ伝送路１０を介して接続された状態となり、光ファイバ集合装置３は、光加入者線終局装置４からの光信号をリングネットワークを介して各光加入者線終端装置２に伝送し、各光加入者線終端装置２は、自光加入者線終端装置２に対するアドレス情報を識別して光信号を受信し、自光加入者線終端装置２宛でない光信号はそのまま転送する。
【００２１】
図３はフレーム構成の説明図であり、（ａ）はＩＥＥＥ８０２．３ｕ（１００ＢＡＳＥ−ＴＸ）のフレーム、（ｂ）はＩＥＥＥ８０２．３ｕ（１００ＢＡＳＥ−ＦＸ）のフレーム、（ｃ）は本発明に於いて用いるデータフレーム、（ｄ）はアクセス制御フレーム、（ｅ）はフレーム識別子ＦＩＤを示す。なお、ＩＰＧはインターフレームギャップ（Ｉｎｔｅｒ  Ｆｒａｍｅ  Ｇａｐ）、ＰＡはプリアンブルフィールド（Ｐｒｅａｍｂｌｅ）、ＳＦＤは開始フレームデリミタ（Ｓｔａｒｔ  Ｆｒａｍｅ  Ｄｅｌｉｍｉｔｅｒ）、ＤＡは送信先アドレス（Ｄｅｓｔｉｎａｔｉｏｎ  Ａｄｄｒｅｓｓ）、ＳＡは送信元アドレス（Ｓｏｕｒｃｅ  Ａｄｄｒｅｓｓ）、Ｌ／Ｔは長さ／タイプ（Ｌｅｎｇｔｈ／Ｔｙｐｅ）、ＬＬＣは送信データ、ＦＣＳはフレーム検査シーケンス（Ｆｒａｍｅ  Ｃｈｅｃｋ  Ｓｅｑｕｅｎｃｅ）を示す。
【００２２】
又ＩＦＧはインターフレームギャップ（Ｉｎｔｅｒ  Ｆｒａｍｅ  Ｇａｐ）、ＳＳＤは開始ストリームデリミタ（Ｓｔａｒｔ  ｏｆ  Ｓｔｒｅａｍ  Ｄｅｌｉｍｉｔｅｒ）、ＥＳＤは終了ストリームデリミタ（Ｅｎｄ  ｏｆ  ＳｔｒｅａｍＤｅｌｉｍｉｔｅｒ）、ＦＩＤはフレーム識別子（Ｆｒａｍｅ  Ｉｄｅｎｔｉｆｉｅｒ）、ＭＩは保守情報（Ｍａｎａｇｅｍｅｎｔ  Ｉｎｆｏｒｍａｔｉｏｎ）、ＰＡＤは調整用ビット（Ｐａｄｄｉｎｇ  Ｂｉｔｓ）、Ｄ／Ａはフレーム識別子（Ｄａｔａ／Ａｃｃｅｓｓ  Ｉｄｅｎｔｉｆｉｅｒ）、Ｉ／Ｄは挿入位置識別子（ＩＰＧ／Ｄａｔａ）、Ｒは予備ビット（Ｒｅｓｅｒｖｅｄ  Ｂｉｔ）を示す。又Ｄ／Ａ＝“０”はデータフレームを示し、Ｄ／Ａ＝“１”はアクセス制御フレームを示す。又Ｉ／Ｄ＝“０”はアクセス制御フレームをインターフレームギャップＩＰＧ内に挿入したことを示し、Ｉ／Ｄ＝“１”はアクセス制御フレームを、データフレームと同様にインターフレームギャップＩＦＧをおいて伝送していることを示す。又各フィールドの上の数字はバイト数を示す。
【００２３】
端末機器１と光加入者線終端装置２との間は、例えば、前述の図３の（ａ）に示すフレームによりデータを伝送し、光加入者終端装置２と光ファイバ集合装置３と光加入者線終局装置４との間は、リングネットワーク８を構成する光ファイバ伝送路９，１０を介して、図３の（ｃ）に示すデータフレームによりデータを伝送する。このフレームは、図３の（ｂ）に示すフレームに対して、データフレームか制御フレームかを示すフレーム識別子ＦＩＤを、プリアンブルフィールドＰＡの１バイト分を利用して付加したフレーム構成に相当する。
【００２４】
又図３の（ｄ）に示すアクセス制御フレームは、図３の（ｅ）に示すフレーム識別子ＦＩＤを含み、光加入者線終局装置４に於いて生成し、光ファイバ集合装置３の光ファイバ伝送路９及び光加入者線終端装置２との間の光ファイバ伝送路１０を介して伝送し、この制御フレームにより、端末装置１は、光加入者線終端装置２からのデータの送信権を得るものである。
【００２５】
又光加入者線終局装置４は、ＩＰ網５からのデータを、図３の（ｃ）に示すフレーム構成で前述のように光ファイバ集合装置３を介して送出するから、各光加入者線終端装置２は、送信先アドレスＤＡを識別して、自装置宛の場合に、図３の（ｃ）に示すフレーム構成を、図３の（ａ）に示すフレーム構成に変換して端末装置１へ転送する。
【００２６】
図４はアクセス制御フレームの伝送形式の説明図であり、（ａ），（ｂ）は、前述のＩ／Ｄ＝“１”とした場合について示し、（ａ）に示すように、データフレームＤＡＴＡ間にインターフレームギャップＩＦＧが形成されており、制御フレームは、最小フレーム構成の６４バイト構成とし、この制御フレームの前後に、（ｂ）に示すようにインターフレームギャップＩＦＧをおいて伝送するものである。
【００２７】
又図４の（ｃ），（ｄ）は、前述のＩ／Ｄ＝“０”とした場合について示し、（ｃ）は（ａ）と同一のフレーム構成であるが、インターフレームギャップＩＦＧを１２バイト以上の構成とし、このインターフレームギャップＩＦＧ内に、図４の（ｄ）に示すように、インターフレームギャップＩＦＧに比較して短い固定長の例えば１０バイト構成としたアクセス制御フレームを挿入して伝送する。
【００２８】
図５は制御フレームの保守情報フィールドの説明図であり、図３の（ｄ）に示す制御フレームの保守情報フィールドＭＩを示し、この保守情報フィールドＭＩは０〜６１バイト構成とすることが可能であり、３２個の光加入者線終端装置２が接続されたシステムに於いては、４バイト構成として、アドレスビットＡ０〜Ａ３１をそれぞれの光加入者線終端装置２に割当てる。各光加入者線終端装置２は、この制御フレームを受信すると、自装置のアドレス位置を示すビットＡ０〜Ａ３１の一つを“１”にセットして送出する。従って、光加入者線終局装置４に於いて、光加入者線終端装置２の接続状況を監視することができる。
【００２９】
図６は制御フレームの保守情報フィールドの詳細な説明図であり、保守情報フィールドＭＩの０〜３２バイトについて示し、Ａ０〜Ａ３１は前述の図５に示す３２個の光加入者線終端装置のユニークなアドレス対応位置のアドレスビット、Ｒ０〜Ｒ３１，Ｒ３２〜Ｒ６４はリザーブビット、ＬＦ０〜ＬＦ３１は、アドレスＡ０〜Ａ３１対応の１００ＢＡＳＥ−ＦＸのリンクインティグリティテストがＯＫの場合に“１”とするテスト結果ビット、ＬＴ０〜ＬＴ３１は、アドレスＡ０〜Ａ３１対応の１００ＢＡＳＥ−ＴＸのリンクインティグリティテストがＯＫの場合に“１”とするテスト結果ビット、ＬＲ０〜ＬＲ３１は、アドレスＡ０〜Ａ３１対応のループ要求時に“１”とするループ要求ビット、ＬＡ０〜ＬＡ３１は、アドレスＡ０〜Ａ３１対応の応答時に“１”とする応答ビット、Ｅ０〜Ｅ３１はアドレスＡ０〜Ａ３１対応のＥＱＰ情報ビット、Ｒｉ０〜Ｒｉ３１は、アドレスＡ０〜Ａ３１対応のインヒビット状態を示すＲ−ＩＮＨビットを示す。光加入者線終局装置４は、制御フレームの前述の保守情報フィールドＭＩの内容により、リングネットワーク８に接続された各光加入者線終端装置２の状況を、トラフィックに与える影響が殆どない状態として監視することができる。
【００３０】
図７は本発明の実施の形態のリングネットワークのシステム構成説明図であり、図２と同一符号は同一部分を示し、２１はインタフェース盤（ＩＦ盤）、２２は双方向バス（ＢＷＢ）、２３は監視制御端末、２４は監視制御端末用のインタフェース盤を示す。光加入者線終局装置４は、複数のインタフェース盤２１と、地域ＩＰ網（図示を省略）との間を双方向バス２２を介して接続し、そのインタフェース盤２４に監視制御端末２３を接続し、又インタフェース盤２１に光ファイバ集合装置３を接続する。
【００３１】
光ファイバ集合装置３と光加入者線終局装置４とを局舎内に設け、分散配置された光加入者線終端装置２との間を、光ファイバ伝送路１０を介して接続し、光ファイバ集合装置３の光ファイバ伝送路９を含むリングネットワークにより、送受信データを光信号のフレームとして伝送する。
【００３２】
図８は光加入者終端装置及び光加入者線終局装置の説明図であり、（Ａ）は光加入者線終端装置２のブロック図、（Ｂ）は光加入者線終局装置のブロック図を示す。同図の（Ａ）の光加入者線終端装置２は、電気信号と光信号との相互変換を行うＯ／Ｅ・Ｅ／Ｏ変換部３２を含む光送受信部３１と、１００ＢＡＳＥ−ＦＸ物理層終端部３３と、アクセス制御フレーム終端部３４と、１００ＢＡＳＥ−ＴＸ物理層終端部３５と、伝送トランス３６とを含み、１００ＢＡＳＥ−ＦＸ物理層終端部３３と１００ＢＡＳＥ−ＴＸ物理層終端部３４とにより、メディア独自インタフェースＭＩＩ（Ｍｅｄｉａ  Ｉｎｄｅｐｅｎｄｅｎｔ  Ｉｎｔｅｒｆａｃｅ）を構成している。
【００３３】
光ファイバ集合装置３と光送受信部３１との間を光ファイバ伝送路により接続するもので、その場合に、図２に示すように、２本の光ファイバ伝送路１０によって接続する構成が判り易いが、光ファイバ集合装置３と光送受信部３１とに、送受信光信号の分離と合成とを行う手段を設けて１本の光ファイバ伝送路により接続することもできる。又１００ＢＡＳＥ−ＦＸ物理層終端部３３に於いて、光ファイバ集合装置３との間に伝送する図３の（ｃ）に示すデータフレームの送受信制御を行い、アクセス制御フレーム終端部３４に於いて図３の（ｄ）に示す制御フレームの送受信制御を行う。それにより、自装置に接続された端末機器へのデータの転送及びその端末機器からのデータの送出を行う。この場合、フレーム識別子ＦＩＤによりデータフレームかアクセス制御フレームかを識別することができる。
【００３４】
又図８の（Ｂ）の光加入者線終局装置４は、電気光の相互変換を行うＯ／Ｅ・Ｅ／Ｏ変換部４１を含む光送受信部４１と、１００ＢＡＳＥ−ＦＸ物理層終端部４３とアクセス制御フレーム終端部及び生成部４４と、ＢＷＢインタフェース処理部４５と、光コネクタ４６とを含み、１００ＢＡＳＥ−ＦＸ物理層終端部４３とアクセス制御フレーム終端部及び生成部４４とにより、メディア独自インタフェースＭＩＩ（Ｍｅｄｉａ  Ｉｎｄｅｐｅｎｄｅｎｔ  Ｉｎｔｅｒｆａｃｅ）を構成している。又ＢＷＢは図７に於ける双方向バス２２に対応する。
【００３５】
光ファイバ集合装置３と光送受信部４１との間を、光信号を双方向に伝送する１本の光ファイバ伝送路により接続し、又は光信号の送信と受信とに分けて伝送する２本の光ファイバ伝送路により接続し、１００ＢＡＳＥ−ＦＸ物理層終端部４３に於いて光ファイバ集合装置３との間に伝送する図３の（ｃ）に示すデータフレームの送受信制御を行い、アクセス制御フレーム終端部及び生成部４５は、受信したアクセス制御フレームの終端処理と、送信するアクセス制御フレームの生成とを行う。
【００３６】
図９は通信制御の説明図であり、（ａ）〜（ｅ）はデータフレーム及びアクセス制御フレームＡＭＦの送受信状況を示し、光加入者線終局装置４に相当するステーションをアクティブステーションＡ、光加入者線終端装置２に相当するステーションをスタンバイステーションＢ，Ｃ，Ｄとして、光ファイバ集合装置３を介してリング状に伝送路を接続した構成を示す。
【００３７】
図９の（ａ）は、アクティブステーションＡから図３の（ｄ）に示すアクセス制御フレームＡＭＦを生成して送出し、次のスタンバイステーションＢは、図示を省略した端末機器からスタンバイステーションＤに接続された端末機器へのデータを有する場合に、アクセス制御フレームＡＭＦを受信することにより送信権を獲得し、アクセス制御フレームＡＭＦに、Ｂ→Ｄとして示すスタンバイステーションＤ宛のデータを、図３の（ｃ）に示すフレームフォーマットによるデータフレームとして送出し、又アクセス制御フレームＡＭＦも中継送出した状態を示す。
【００３８】
次に、図９の（ｂ）に示すように、スタンバイステーションＣに於いて、スタンバイステーションＢからのデータフレームは、自装置宛のデータフレームではないから、そのまま中継送出し、又アクセス制御フレームＡＭＦを受信することにより送信権を獲得し、アクティブステーションＡ宛のデータＣ→Ａを、図３の（ｃ）に示すフレームフォーマットによるデータフレームに変換して送出し、又アクセス制御フレームＡＭＦを中継送出する。
【００３９】
次に、図９の（ｃ）に示すように、スタンバイステーションＤに於いて、データフレームを受信し、Ｂ→Ｄとして示すデータフレームは、自装置宛であることを識別して受信処理し、図示を省略した端末機器に対して、例えば、図３の（ａ）に示すフレームフォーマットにより受信データを転送し、Ｃ→Ａとして示すデータフレームは、自装置宛でないから、中継伝送し、又アクセス制御フレームＡＭＦを中継送出する。
【００４０】
次に、図９の（ｄ）に示すように、アクティブステーションＡに於いて、Ｃ→Ａとして示すデータフレームは、自装置宛であるから、これを受信処理し、且つアクセス制御フレームＡＭＦを生成して送出する。次に、図９の（ｅ）に示すように、スタンバイステーションＢは、アクセス制御フレームＡＭＦを受信した時に、送信データがなければ、そのアクセス制御フレームＡＭＦを中継送出する。以下他のスタンバイステーションも同様な処理を行うことになる。
【００４１】
図１０は障害救済手段を備えた実施の形態の説明図であり、図７と同一符号は同一部分を示し、２６はインタフェース処理盤（ＩＮＦＯ盤）、５１はインタフェース処理部（ＩＮＦＯ部）、５２は経路切替部、５３はスイッチ部、５４は検出部、５６，５７は送受信モジュールを示す。又図９に於けるアクティブステーションＡを光加入者線終局装置４とし、スタンバイステーションＢ，Ｃ，Ｄを光加入者線終端装置２として示す。
【００４２】
光ファイバ集合装置３の経路切替部５２は、スイッチ部５３を含み、光クロスコネクト部として知られている光信号のスイッチ手段や経路切替えの手段を適用することができるものであり、光スイッチ等からなるスイッチ部５３は、インタフェース処理部５１から制御される。又送受信モジュール５６，５７は、それぞれ検出部５４を備え、光信号レベル等の検出信号をインタフェース処理部５１に入力する。インタフェース処理部５１は、検出信号により光信号断，光信号レベル低下等を判定し、経路切替部５２を制御する。
【００４３】
例えば、スタンバイステーションＣに障害が発生すると、アクセス制御フレームＡＭＦの中継送出が不可能となり、スタンバイステーションＤ対応の送受信モジュール５７の検出部５４からの検出信号は異常を示すものとなる。それにより、インタフェース処理部５１は、スタンバイステーションＣ対応の経路切替部５２のスイッチ部５３を制御して例えばバイパスさせる。それにより、スタンバイステーションＢからのアクセス制御フレーム及びデータフレームをスタンバイステーションＤに転送することができる。
【００４４】
インタフェース処理部５１に於いて前述のように障害発生検出を基に、経路切替部５２を制御する構成とすることも可能であるが、監視制御端末２３に各種の判定及び制御機能を設けて、インタフェース処理部５１を介して経路切替部５２を制御する構成とすることもできる。例えば、監視制御端末２３に、リング構成テーブルを設ける。図１１はこのリング構成テーブルの説明図であり、ステーション名と回線情報とを含み、図１１の（ａ）は、ステーション名Ａ，Ｂ，Ｃ，Ｄのステーションは総て正常の場合を示す。
【００４５】
光ファイバ集合装置３に接続されたアクティブステーションＡを含む他のスタンバイステーションＢ，Ｃ，Ｄについては、アクティブステーションＡに於いて、アクセス制御フレームの保守情報フィールドＭＩのアドレスビットを利用してリングネットワークに接続されているか否かを、インタフェース盤２４を介して監視制御端末２３に於いて収集することができる。又正常か否かの情報は、インタフェース処理部５１からインタフェース盤２６，２４を介して収集することができる。又保守情報フィールドＭＩの図６に示すテスト結果ビット等により警報状態か否かの情報を収集することができる。
【００４６】
又前述のように、スタンバイステーションＣに障害が発生すると、その情報を監視制御端末２３に転送する。監視制御端末２３は、インタフェース処理部５１に制御情報を送出する。インタフェース処理部５１はその制御情報に従って経路切替部５２のスイッチ部５３を制御して、スタンバイステーションＣをバイパスするように切替制御する。そして、リング構成テーブルを、図１１の（ｂ）に示すように更新する。そして、アクセス制御フレームの保守情報フィールドＭＩを基にスタンバイステーションＣが接続されてないことを識別することができるから、リング構成テーブルを、図１１の（ｃ）に示すように更新する。即ち、正常なステーションＡ，Ｂ，Ｄが接続されている状態を示すものとなる。
【００４７】
図１２はアクセス制御フレームの伝送シーケンス説明図であり、アクティブステーションＡとスタンバイステーションＢ，Ｃ，Ｄとがリングネットワークに接続されている状態に於いて、アクティブステーションＡからアクセス制御フレームＡＭＦをスタンバイステーションＢに送出する。スタンバイステーションＢは、アクセス制御フレームＡＭＦを受信してスタンバイステーションＣへ中継送出し、自ステーション宛のデータフレームがあれば受信処理し、又送信データがあれば、データフレームを送出する。
【００４８】
次のスタンバイステーションＣに於いても同様にアクセス制御フレームＡＭＦの中継送出、データフレームの送受信の処理を行い、次のスタンバイステーションＤに於いても同様に処理する。そして、スタンバイステーションＤからアクティブステーションＡにアクセス制御フレームＡＭＦを中継送出する。従って、アクティブステーションＡは、アクセス制御フレームＡＭＦを送出してから一巡して戻るまでに、所定の時間Ｔを要することになる。従って、アクセスステーションＡは、この時間Ｔに近い所定時間間隔でアクセス制御フレームＡＭＦを生成して送出することを繰り返し、且つアクセス制御フレームＡＭＦが一巡して戻るまでの時間を計測する。
【００４９】
これに対して、例えば、スタンバイステーションＢに障害が発生して、アクセス制御フレームＡＭＦを中継送出できない場合、アクティブステーションＡには、時間Ｔを経過してもスタンバイステーションＤからのアクセス制御フレームＡＭＦを受信できないから、何れかに障害が発生したと判定することができる。この場合も所定時間間隔でアクセス制御フレームＡＭＦを生成して送出する。例えば、スタンバイステーションＢの電源断による障害発生で、その後、電源が回復すると、次のアクセス制御フレームＡＭＦを受信して、中継送出できるから、正常の状態に戻ることになる。
【００５０】
又スタンバイステーションの障害発生時に、図１０に示すように、光ファイバ集合装置３に於いて障害発生スタンバイステーションを切り離して、正常なスタンバイステーションのみを接続した構成に切替えることができる。この経路切替えにより、アクセス制御フレームＡＭＦは、障害発生スタンバイステーションをバイパスして次のスタンバイステーションに伝送されることになり、一巡したアクセス制御フレームＡＭＦはアクティブステーションＡに戻ることになる。
【００５１】
又アクティブステーションに対して、例えば、３２個のスタンバイステーションが接続され、それぞれ重複しないアドレスを設定し、アクティブステーションは、アクセス制御フレームＡＭＦの保守情報フィールドＭＩのＡ３１〜Ａ０を総て“０”にセットして送出する。スタンバイステーションは、アクセス制御フレームＡＭＦを前述のように受信して中継送出するものであるが、保守情報フィールドＭＩのアドレスビットＡ３１〜Ａ０の中の自スタンバイステーションのアドレスに相当する位置のアドレスビットを“１”とする。例えば、アドレス０番のスタンバイステーションは、アドレスビットＡ０を“１”にセットして中継送出する。従って、アクティブステーションは、一巡したアクセス制御フレームＡＭＦの保守情報フィールドＭＩの“１”のアドレスビットにより、スタンバイステーションの接続状況を把握することができる。このような処理は、アクセス制御フレームＡＭＦの送出毎に行うか、或いは、所定の時間間隔をおいて保守情報フィールドＭＩの処理を行うことができる。
【００５２】
又アクティブステーションは、図６に示すアクセス制御フレームＡＭＦの保守情報フィールドＭＩを総て“０”にセットして送出する。スタンバイステーションは、アドレスビットＡ０〜Ａ３１以外の他のテスト結果ビット等について、正常でない結果の場合に、自ステーションのアドレスに相当する位置のビットを“１”とする。従って、アクティブステーションは、一巡したアクセス制御フレームＡＭＦの保守情報フィールドＭＩを基に、警報状態のスタンバイステーションを認識することができる。
【００５３】
本発明は、前述の各実施の形態にのみ限定されるものではなく、種々付加変更することが可能であり、光加入者線終端装置２に複数の端末機器を接続することも可能であり、又光加入者線終局装置４と光ファイバ集合装置３とを同一局舎内ではなく、離れた局舎内に設けて、光ファイバ伝送路で接続した構成とすることも可能である。
【００５４】
【発明の効果】
以上説明したように、本発明は、局舎側の光加入者終局装置４と、複数の光加入者線終端装置２との間に、光ファイバ集合装置３を設けて、リングネットワーク８を構成したことにより、複数の光加入者終端装置２に対して１台の光加入者線終局装置４を設けることで対処できるから、局舎側を経済的な構成とすることができる利点がある。又光ファイバ集合装置３を介してリングネットワークを構成し、且つデータフレームと送信権を与えるアクセス制御フレームとをフレーム識別子により区別可能とし、リングネットワークに接続された複数の光加入者線終端装置２に対して、アクセス制御フレームによって順次送信権を与えることができるから、リングネットワーク上のデータフレームの衝突もなく、ＩＥＥＥ８０２．３ｕによる高速伝送が可能となる。なお、伝送速度は、１００Ｍｂｐｓのみでなく、その上の１Ｇｂｐｓや１０Ｇｂｐｓの伝送速度に対しても適用することができる。又アクセス制御フレームの保守情報フィールドＭＩを利用して、リングネットワークに接続された光加入者線終端装置を認識し、又正常か否かの確認等も容易である利点がある。
【図面の簡単な説明】
【図１】本発明の実施の形態の説明図である。
【図２】リングネットワークの説明図である。
【図３】フレーム構成の説明図である。
【図４】アクセス制御フレームの伝送形式の説明図である。
【図５】制御フレームの保守情報フィールドの説明図である。
【図６】制御フレームの保守情報フィールドの詳細な説明図である。
【図７】本発明の実施の形態のリングネットワークのシステム構成説明図である。
【図８】光加入者線終端装置及び光加入者線終局装置の説明図である。
【図９】通信制御の説明図である。
【図１０】障害救済手段を備えた実施の形態の説明図である。
【図１１】リング構成テーブルの説明図である。
【図１２】アクセス制御フレームの伝送シーケンス説明図である。
【図１３】従来例の説明図である。
【符号の説明】
１  端末機器
２  光加入者線終端装置
３  光ファイバ集合装置
４  光加入者線終局装置
５  地域ＩＰ網
６，７  ネットワーク
８  リングネットワーク
９，１０  光ファイバ伝送路
【図１】
0003837705.tif 000002
【図２】
0003837705.tif 000003
【図３】
0003837705.tif 000004
【図４】
0003837705.tif 000005
【図５】
0003837705.tif 000006
【図６】
0003837705.tif 000007
【図７】
0003837705.tif 000008
【図８】
0003837705.tif 000009
【図９】
0003837705.tif 000010
【図１０】
0003837705.tif 000011
【図１１】
0003837705.tif 000012
【図１２】
0003837705.tif 000013
【図１３】
0003837705.tif 000014